(57)【特許請求の範囲】
【請求項１】
自然光や人工光を受光し、その受光レベルに応じた電気信号を発生する受光手段と；  前記受光手段からの電気信号を所定時間毎にサンプリングするサンプリング手段と；前記サンプリング手段によりサンプリングされた電気信号レベルを量子化し、照度レベルデータに変換する量子化手段と；前記照度レベルデータを記憶する記憶手段と；前記記憶手段に前記照度レベルデータを書き込む照度レベルデータ書き込み手段と；前記記憶手段に記憶された照度レベルデータを、最新の記憶データから順次さかのぼって読み出し表示する表示手段と；を備えた照度レベル記録器と；
前記照度レベル記録器の表示手段からの照度レベルデータの出力結果に基づいて決定された閾値を設定する閾値設定手段と；
調光制御可能な照明機器と；
前記受光手段により受光された現在の照度レベルが、前記閾値設定手段により設定された閾値よりも高い場合には前記照明機器をオフまたは調光制御を行い、前記閾値よりも低い場合には前記照明機器をオンするよう前記照明機器の動作制御を行う手段と；
を具備したことを特徴とする照明制御装置。
【請求項２】
日付及び時刻を読み込む手段と；
前記日付及び時刻に基づいて太陽光の入射方位を求める手段と；
太陽の陰り具合を検出する手段と；
前記太陽光の入射方位のときに直射光が差し込むかどうかを判断する、請求項１に記載の照度レベル記録器又は照明制御装置と；
前記日付から季節を判断する手段と；
昼光利用制御を行う手段と；
前記太陽の陰りの検出結果と、前記直射光が差し込むかどうかの判断結果と、前記季節の判断結果に基づいて昼光利用制御を行うか否かを判断する手段と；
昼光利用制御を行うと判断されると昼光利用制御を一定時間行う手段と；
を具備したことを特徴とする集中監視制御システム。
【請求項３】
日付及び時刻を読み込む手段と；
前記日付及び時刻に基づいて太陽光の入射方位を求める手段と；
前記太陽光の入射方位に太陽光を遮る障害物があるか否かを判断する手段と；
太陽の陰り具合を検出する手段と；
前記太陽光の入射方位のときに直射光が差し込むかどうかを判断する、請求項１に記載の照度レベル記録器又は照明制御装置と；
前記日付から季節を判断する手段と；
昼光利用制御を行う手段と；
前記太陽光を遮る障害物があるか否かの判断結果と、前記太陽の陰りの検出結果と、前記直射光が差し込むかどうかの判断結果と、前記季節の判断結果とに基づいて昼光利用制御を行うか否かを判断する手段と；
昼光利用制御を行うと判断されると昼光利用制御を一定時間行う手段と；
を具備したことを特徴とする集中監視制御システム。
【請求項４】
前記昼光利用制御が行われると同時に手動による照明装置の操作を一切不可としたことを特徴とする請求項２又は３に記載の集中監視制御システム。
【請求項５】
前記太陽の陰り具合の検出は、日照計から得られた照度データに基づいて行われることを特徴とする請求項２，３又は４に記載の集中監視制御システム。
【請求項６】
前記昼光利用制御は、
窓際室内の昼光照明と；
窓際室内の人工照明と；
窓際室外に取り付けられた光センサと；の各出力を用いて行うことを特徴とする請求項２から５の何れか１に記載の集中監視制御システム。
【請求項７】
前記昼光利用制御は一定時間毎に、継続して制御を行うか否かの判断の見直しが行われることを特徴とする請求項２から６の何れか１に記載の集中監視制御システム。
【発明の詳細な説明】
【０００１】
【発明の属する技術分野】
本発明は自然光（昼光）と人工光の総合照明制御に係り、特に窓際付近における、比較的昼光により明るさの影響を受けやすいエリアにおける照度を光センサーにより計測記録し、これにより照明等の負荷の自動制御を行うことを目的とした照明制御システムに関する。
【０００２】
【従来の技術】
近年、建物の巨大化に伴い部屋の奥行きが深くなり、長時間の裁縫や精密工作等の作業を行うのに必要な照度、即ち基準昼光率である ３００ｌｘ を下回る部分が増えたため、昼間の室内で昼光照明を補助するための人工照明が常時点灯される状況が増えてきている。
【０００３】
昼光率は窓から離れると急速に低下し、ある程度のところまで下がると、以降は穏やかに低下するようになる。このことから、従来より、窓からある程度離れた場所では人工照明を常時点灯させておき、窓付近の人工照明については、全天空照度（室外の明るさ）を光センサにより計測して、その結果に基づいて照明を点灯したり消灯したり或いは調光することで明るさの制御を行っていた。
【０００４】
しかしながら、上記従来の技術による制御は、窓から入ってくる光の強度は全天空照度のみに影響を受けるという前提で行われていて、光の進入経路における光の透過度合い等の条件については一切考慮されていなかった。即ち、外が明るければ単純に窓付近も明るくなるという条件のみで明るさの制御（以降、昼光利用制御という）を行っていた。
【０００５】
ところで、これら上記の問題点を解決したものとして、特開昭６−１１１９４２号公報（事例１），並びに特開昭６−１４０１５９号公報（事例２）に記載のものがある。事例１は、室外光の強度と室内の所定位置の照度を検出し、両データに対応して、ブラインドの開閉または照明の照度の制御を行うことにより、所望の照度を得るための調光度対応メモリテーブルを自動的に作成し、的確な昼光利用照明制御を行うものであり、事例２は、ブラインドの開閉に係るデータを収集する監視端末のデータに基づいて、室外光の強度が室内の照度と関係を持たない場合における照明制御を行うものである。
【０００６】
一方、受光器（光センサー）の検出する照度データ値は、建物の構造，立地条件，受光器（光センサー）の設置場所等の条件により、入射する光のレベルが異なるため、より正確な前記昼光利用制御（照明制御）を行うためには、昼光利用制御（照明制御）を行う際の基準となる設定レベルを、各光センサー設置場所毎に、実際に入射する昼光のレベルを予め測定する必要がある。
【０００７】
従来、これら設定レベルを決定する方法として、光センサー制御器にレベルメーターを設け、この指示値を手書きまたはレコーダー等に自動記録し、この値を基に前記設定レベルを決定していた。しかしながら、このような方法によると、前記何れの場合も、専用の照度測定装置が必要となると共に作業者が複数ヶ所の現場（光センサー制御器の設置場所）に行って、それら測定装置からデータを収集する作業が必要となり、前記設定レベルの決定（設定）作業に時間を要すると共に、こまめには（例えば、最適な設定レベル値が定まるまでの間や、季節変化に伴い変更が必要となった場合等）前記設定レベルの設定値の変更等を行うことができないという問題があった。
【０００８】
また、上記方法により最適な設定レベル値の設定を行ったとしても、例えば夏の暑い日等に窓から直射日光が差し込んできた場合などにカーテンやブラインドを閉めると、昼光利用制御（照明制御）機能が正常に機能しなくなり、例えば、窓付近の人工照明の照度が落とされ、窓際が暗くなってしまうといった問題があった。
【０００９】
【発明が解決しようとする課題】
上記の如く、受光器（光センサー）の検出する照度データ値は、建物の構造，立地条件，受光器（光センサー）の設置場所等の条件により、入射する光のレベルが異なるため、より正確な前記昼光利用制御（照明制御）を行うためには、昼光利用制御（照明制御）を行う際の基準となる設定レベルを、各光センサー設置場所毎に、実際に入射する昼光のレベルを予め測定する必要がある。
【００１０】
これら設定レベルを決定する方法として、光センサー制御器にレベルメーターを設け、この指示値を手書きまたはレコーダー等に自動記録し、この値を基に前記設定レベルを決定していた。しかしながら、このような方法によると、前記何れの場合も、専用の照度測定装置が必要となると共に作業者が複数ヶ所の現場（光センサー制御器の設置場所）に行って、それら測定装置からデータを収集する作業が必要となり、前記設定レベルの決定（設定）作業に時間を要すると共に、こまめには（例えば、最適な設定レベル値が定まるまでの間や、季節変化に伴い変更が必要となった場合等）前記設定レベルの設定値の変更等を行うことができないという問題（欠点）があった。
【００１１】
そこで、本発明はこのような問題に鑑み、作業者が複数ヶ所の現場（光センサー制御器の設置場所）に行って、それら測定装置からデータを収集する作業を不要とし、且つこまめに（例えば、最適な設定レベル値が定まるまでの間や、季節変化に伴い変更が必要となった場合等）前記設定レベルの設定値の変更等を行うことができ、より正確な照明制御が可能な照度レベル記録器，照明制御装置及び集中監視制御システムを提供することを目的とするものである。
【００１２】
【課題を解決するための手段】
請求項１に記載の発明による照明制御装置は、自然光や人工光を受光し、その受光レベルに応じた電気信号を発生する受光手段と；前記受光手段からの電気信号を所定時間毎にサンプリングするサンプリング手段と；前記サンプリング手段によりサンプリングされた電気信号レベルを量子化し、照度レベルデータに変換する量子化手段と；前記照度レベルデータを記憶する記憶手段と；前記記憶手段に前記照度レベルデータを書き込む照度レベルデータ書き込み手段と；前記記憶手段に記憶された照度レベルデータを、最新の記憶データから順次さかのぼって読み出し表示する表示手段と；を備えた照度レベル記録器と；前記照度レベル記録器の表示手段からの照度レベルデータの出力結果に基づいて決定された閾値を設定する閾値設定手段と；調光制御可能な照明機器と；前記受光手段により受光された現在の照度レベルが、前記閾値設定手段により設定された閾値よりも高い場合には前記照明機器をオフまたは調光制御を行い、前記閾値よりも低い場合には前記照明機器をオンするよう前記照明機器の動作制御を行う手段と；を具備したものである。
【００１３】
ここで、上記請求項１に記載の発明によれば、前記受光手段からの照度レベルデータを、常時取り込んで、前記記憶手段に記憶するようにしたので、作業者が現場（照明制御装置の設置されている場所）に行った時点で、既に光センサーによる照度レベルデータが取得された状態であり、設定レベル値（閾値）の設定に必要な照度レベルの変化をその時点で即、得ることが出来、閾値の設定作業を効率よく行うことが出来る。
ここで、前記照明機器をオン／オフさせる方法として、例えばリレー回路を用いたスイッチ手段を使用することが出来、また、調光制御を行う方法として、ＰＷＭ信号制御または、例えば、０Ｖ〜１０Ｖの電圧信号に応じて調光するスイッチ手段を用いることが出来る。が、これらに限定されることはない。
【００１８】
請求項２に記載の発明による集中監視制御システムは、日付及び時刻を読み込む手段と；前記日付及び時刻に基づいて太陽光の入射方位を求める手段と；太陽の陰り具合を検出する手段と；前記太陽光の入射方位のときに直射光が差し込むかどうかを判断する、請求項１に記載の照度レベル記録器または照明制御装置と；前記日付から季節を判断する手段と；昼光利用制御を行う手段と；前記太陽の陰りの検出結果と、前記直射光が差し込むかどうかの判断結果と、前記季節の判断結果に基づいて昼光利用制御を行うか否かを判断する手段と；昼光利用制御を行うと判断されると昼光利用制御を一定時間行う手段と；を具備したものであり、
請求項３に記載の発明による集中監視制御システムは、日付及び時刻を読み込む手段と；前記日付及び時刻に基づいて太陽光の入射方位を求める手段と；前記太陽光の入射方位に太陽光を遮る障害物があるか否かを判断する手段と；太陽の陰り具合を検出する手段と；前記太陽光の入射方位のときに直射光が差し込むかどうかを判断する、請求項１に記載の照度レベル記録器または照明制御装置と；前記日付から季節を判断する手段と；昼光利用制御を行う手段と；前記太陽光を遮る障害物があるか否かの判断結果と、前記太陽の陰りの検出結果と、前記直射光が差し込むかどうかの判断結果と、前記季節の判断結果とに基づいて昼光利用制御を行うか否かを判断する手段と；昼光利用制御を行うと判断されると昼光利用制御を一定時間行う手段と；を具備したものであり、
請求項４に記載の発明による集中監視制御システムは、請求項２又は３に記載の集中監視制御システムにおいて、前記昼光利用制御が行われると同時に手動による照明装置の操作を一切不可としたものであり、
請求項５に記載の発明による集中監視制御システムは、請求項２，３又は４に記載の集中監視制御システムにおいて、前記太陽の陰り具合の検出は、日照計から得られた照度データに基づいて行われるものであり、
請求項６に記載の発明による集中監視制御システムは、請求項２から５の何れか１に記載の集中監視制御システムにおいて、前記昼光利用制御は、窓際室内の昼光照明と；窓際室内の人工照明と；窓際室外に取り付けられた光センサと；の各出力を用いて行うものである。
【００１９】
ここで、上記請求項２，３，５及び６記載の発明によれば、窓際で作業を行っている人が、太陽光の直射を受けたときに、それを不快と感じてカーテン又はブラインドを閉めたいと感じる状況を予測して、その場合には昼光利用制御を行わないようにする機能を設けたので、窓際の作業者にとって快適な照明環境を提供できるとともに省エネ効果を得ることも可能である。また、特に請求項１０記載の発明によれば、窓際の作業者にとって昼光照明で十分な照度が得られる場合には、手動による照明の制御を一切禁止して、強制的に昼光照明を用いるようにしたので、確実な省エネ効果が得られる。
【００２０】
請求項７に記載の発明による集中監視制御システムは、請求項２から６の何れか１に記載の集中監視制御システムにおいて、前記昼光利用制御は一定時間毎に、継続して制御を行うか否かの判断の見直しが行われるものである。
【００２１】
ここで、上記請求項７記載の発明によれば、昼光利用制御を行うか否かを一定時間毎に見直すようにしたので、窓際の作業者にとって、より快適な照明環境を提供できる。
【００２２】
【発明の実施の形態】
以下、本発明の実施の形態について図面を参照して説明する。
図１は本発明の照度レベル記録器と一体となった照明制御装置の実施の形態を示すブロック図である。
【００２３】
図１において、照度レベル記録器と一体となった照明制御装置（以降、単に照明制御装置という）６３には、端子３３を介して交流電源ＡＣ１００Ｖが入力されていて、電源部３５によって、照明制御装置６３を構成する各回路に対し、駆動用の電源が供給されている。
【００２４】
そして、マイクロコンピュータ３７にはホトダイオード等により構成される光センサー（受光器）３１で検出された照度レベルがアンプ３２により増幅され端子３４を介し、Ａ／Ｄ変換部３６を通して入力されていて、この照度レベルを例えば、５分間隔で４８時間分サイクリックに常時記憶するメモリ３８と、メモリ３８に記憶された内容を表示部４０に表示させたり、その他マイクロコンピュータ３７の動作をコントロールするためのコマンドを出力する操作部３９とが接続されている。
【００２５】
また、マイクロコンピュータ３７には交流電源４５により照明４６等の負荷を点灯（駆動）させるためのスイッチ部４１が接続されていて、メモリ３８の内容をプリンタ等の外部表示（記憶）手段等に出力するためのプリンタＩ／Ｆ４３を介して端子４９と接続されている。
【００２６】
さらに、本発明である照明制御装置６３がさらに大きなシステムの１端末、即ち照明制御端末（装置）として使用される場合の構成として、アドレス設定部４４，並びに中央制御装置と通信を行う（Ｉ／Ｆをとる）ためのＣＣＵ（コミュニケーション・コントロール・ユニット）４２等が接続されていて、ＣＣＵ４２は例えば、前記中央制御装置が制御する二線伝送路に対応して２つの端子４７，４８と接続されている。
【００２７】
次に、前記操作部３９及び表示部４０の１例について説明を行う。
図２は本発明の照度レベル記録器の操作部３９及び表示部４０の１構成例を示したものである。
【００２８】
図２に示すように、表示部４０は、例えば、日付（０：本日，１：前日，２：前々日）を示す１桁のＬＥＤ等からなる表示手段と、時間を示す２桁のＬＥＤ等からなる表示手段と、同じく分を示す２桁のＬＥＤ等からなる表示手段で構成される日付・時刻表示部５９と、日付・時刻表示部５９に表示された日付・時刻におけるメモリ３８に記憶された照度レベルを表示する２桁のＬＥＤ等からなる表示手段で構成されるレベル表示部６０と、前記スイッチ部４１を制御して照明４６のオン／オフまたは調光を行う為の基準となる照度レベル設定値を表示（使用者により設定される値）する設定レベル表示部６１とにより構成される。
【００２９】
また、操作部３９は、前記日付（０：本日，１：前日，２：前々日）を示す１桁のＬＥＤ等からなる表示手段の表示を変更する為の日スイッチ６２と、前記時間を示す２桁のＬＥＤ等からなる表示手段の表示を変更する為の時スイッチ５２と、前記分を示す２桁のＬＥＤ等からなる表示手段の表示を変更する為の分スイッチ５３と、前記日スイッチ６２，時スイッチ５２，並びに分スイッチ５３により設定された日付・時刻におけるメモリ３８に記憶された照度レベルをメモリ３８から読み出して前記レベル表示部６０に表示させる為のレベル表示スイッチ５１と、前記設定された日付・時刻の５分前の日付・時刻を前記日付・時刻表示部５９に表示すると共にその日付・時刻におけるメモリ３８に記憶された照度レベルをメモリ３８から読み出して前記レベル表示部６０に表示させるＵＰスイッチ５４と、前記設定された日付・時刻の５分後の日付・時刻を前記日付・時刻表示部５９に表示すると共にその日付・時刻におけるメモリ３８に記憶された照度レベルをメモリ３８から読み出して前記レベル表示部６０に表示させるＤＯＷＮスイッチ５５と、前記光センサー（受光器）３１で検出された照度レベルを５分間隔で４８時間分サイクリックにメモリ３８に常時記憶する処理を中断したり再開させたりする為のスタート／ストップスイッチ５７と、前記照明４６のオン／オフまたは調光を行う為の基準となる照度レベル設定値を変更する為のレベルスイッチ５６と、レベルスイッチ５６により設定された照度レベル設定値をシステム（マイクロコンピュータ３７）に登録するための設定スイッチ５８と、前記メモリ３８に記憶された過去の５分間隔で４８時間分の照度レベルデータをプリンタ等の外部記録または表示装置に出力するプリントスイッチ６４とにより構成される。
【００３０】
次に、以上のように構成された照度レベル記録器と一体となった照明制御装置の動作について説明を行う。
図３は本発明である照度レベル記録器の記録動作を示したフローチャートである。
【００３１】
照度レベル記録器（照明制御装置６３）の電源が投入されるか若しくはメモリ３８の照度データ記憶エリアが一杯になると、マイクロコンピュータ３７は、メモリ３８の書き込みアドレスを、メモリ上の前記照度データ記憶エリアの先頭位置に設定する（ステップＴ１）。一方、前記光センサー（受光器）３１で検出されアンプ３２で増幅されＡ／Ｄ変換部３６によりディジタル信号に変換されマイクロコンピュータ３７に入力され、例えば１バイトで表現された照度データは、１分毎にサンプリングされ、図３<ｂ>に示すようなメモリ３８上の５バイトのテンポラリメモリに記憶される（ステップＴ２，Ｔ７，Ｔ８）。そして、前記テンポラリメモリが一杯になると（５分経過すると）、テンポラリメモリ中の１分毎のサンプリングデータ（値）の平均がとられ、図３<ａ>に示すようなメモリ３８上のレベル記憶メモリに書き込まれ（ステップＴ２，Ｔ３，Ｔ４）、前記書き込みアドレスが１バイト分加算される（ステップＴ５）。さらに、前記書き込みアドレス（値）が５７６（バイト）を超えていないか、即ち、１バイトで表現された照度データを５分刻みで２日間記録した場合における記憶容量、
２４×２×（６０／５） ＝ ５７６（バイト）
を超えていないか判断がなされ（ステップＴ６）、ステップＴ５で変更された書き込みアドレス（値）が５７６（バイト）を超えていない場合にはステップＴ２へ進み、次の（１バイト先の）アドレスに前記５分刻みの照度データが書き込まれ、前記ステップＴ５で変更された書き込みアドレス（値）が５７６（バイト）を超えた場合にはステップＴ１へ進み、書き込みアドレス（値）を前記照度データ記憶エリアの先頭位置に設定され、古いデータに前記５分刻みの照度データが上書きされる（サイクリックに記録がなされ）。これにより、メモリ３８の照度データ記憶エリアには、常に過去４８時間分の照度データが記憶されることになる。
【００３２】
次に、以上のように照度レベル記録器（照明制御装置６３）のメモリ３８に記憶された照度データの読み出し方法の一例について説明を行う。
図４は照度レベル記録器（照明制御装置６３）のメモリ３８に記憶された照度データの読み出しの手順を示したフローチャートである。
【００３３】
前記メモリ３８の照度データ記憶エリアに、過去４８時間分の照度データが記憶されている場合において、前記操作部３９における日スイッチ６２，時スイッチ５２，並びに分スイッチ５３により現在の日付・時刻、または検索したい日付・時刻を設定する（ステップＵ１）。尚、日スイッチ６２は押下する毎に０→１→２→０とサイクリックに繰り返す。同様に時スイッチ５２は押下する毎に現在表示されている時間から１時間ずつ時刻が加算され、２３の次は０に戻り、以降サイクリックに繰り返され、分スイッチ５３は押下する毎に現在表示されている時間から１分ずつ時刻が加算されて、５９の次は０に戻り、以降サイクリックに繰り返されるようになっている。また、日付・時刻表示部５９には、デフォルトデータとして現在の日付・時刻が表示されていて、前記操作部３９における日スイッチ６２，時スイッチ５２，並びに分スイッチ５３により前記日付・時刻表示部５９の変更操作が行われた後、所定時間前記操作部３９よりキー操作が行われない場合には、例えば、前記デフォルトデータ表示となるようになっている。
【００３４】
そして、レベル表示スイッチ５１を押下することにより、日付・時刻表示部５９に表示された（たった今設定した）日付・時刻におけるメモリ３８に記憶された照度レベルがメモリ３８から読み出されて、前記レベル表示部６０に表示される（ステップＵ２，Ｕ３）。この後、ステップＵ４からステップＵ１に戻り、前記日スイッチ６２，時スイッチ５２，並びに分スイッチ５３により検索したい日付・時刻をダイレクトに入力して、その日付・時刻におけるメモリ３８に記憶された照度レベルを得ても良い。
【００３５】
また、前記照度レベルをダイレクトに読み出す代わりに、ステップＵ４からステップＵ５に進み、相対呼び出し、即ち、前記操作部３９におけるＵＰスイッチ５４を押下（ステップＵ５）することにより、日付・時刻表示部５９に現在表示されている（前記ステップＵ１で設定した値）日付・時刻を、例えば５分前の日付・時刻に変更し、現在表示されているレベル記憶メモリのマイナス１番地（１バイト前）の内容（変更後の日付・時刻に対応した照度レベル）を前記レベル表示部６０に表示し、ＵＰスイッチ５４の押下を繰り返すことにより、順々（５分毎）に過去にさかのぼって照度レベルの変化を見ても良いし（ステップＵ５，Ｕ６，Ｕ９，Ｕ５）、またはＤＯＷＮスイッチ５５を押下（ステップＵ７）することにより、日付・時刻表示部５９に現在表示されている（前記ステップＵ１で設定した値）日付・時刻を、例えば５分後の日付・時刻に変更し、現在表示されているレベル記憶メモリのプラス１番地（１バイト後）の内容（変更後の日付・時刻に対応した照度レベル）を前記レベル表示部６０に表示し、ＤＯＷＮスイッチ５５の押下を繰り返すことにより、順々（５分毎）に過去のある時点から現在に向かって照度レベルの変化を見る（ステップＵ５，Ｕ７，Ｕ８，Ｕ９，Ｕ５）ようにしても良い。
【００３６】
以上のようにして読み出した照度レベルを時系列で記録することにより、前記光センサー（受光器）３１で検出された昼光の照度レベルの変化を知ることができる。尚、当然の事ながら、実際の照度レベルと、光センサー（受光器）３１で検出された照度レベルとは、比例するように設計されているので、一度、光センサー（受光器）３１で実際の照度を他の測定器（照度計など）により測定し、そのときの光センサー（受光器）３１で検出された照度レベルと照度計による実際の照度レベルとを対応づけておけば、以降、光センサー（受光器）３１により測定された照度レベルの変化を参照することで、どのレベル（光センサー３１によるレベル）で照明を消灯／点灯若しくは調光すれば良いか（照度レベルの閾値）を判断し、前記レベルスイッチ５６及び設定スイッチ５８を操作することにより設定レベル値（閾値）を決定し、レベルスイッチ５６を操作して、設定レベル表示部６１に表示される設定レベルを前記決定された設定レベル値（閾値）に合わせ、設定スイッチ５８を操作（押下）することにより、前記設定レベル（閾値）が設定される。
【００３７】
ところで、以上の説明では、前記レベル記憶メモリの内容を日付・時刻表示部５９及びレベル表示部６０に順次読み出して照度レベルの変化を得ているが、前記操作部３９のプリントスイッチ６４を押下することにより、前記レベル記憶メモリの内容をグラフ形式でプリンタ出力することも可能である。
【００３８】
図５はレベル記憶メモリに記憶された照度レベルの変化をグラフ形式にしてプリンタ出力より得た場合の一例を示した図である。
【００３９】
また、照度レベルの変化（ヒストリカルデータ）の出力は、プリンタだけでなく、フロッピーディスクやメモリカード等に対して、例えば季節毎或いは天候毎の特定データのような保存用データとして行うようにしても良い。さらに、これらフロッピーディスクやメモリカード等の記録媒体からパソコン等を用いて、前記照度レベルの変化（ヒストリカルデータ）を読み出し、使用者の所望の形態で表示出力するようにしても良い。
【００４０】
さて、次に、このようにして照度レベル記録器により一日の照度レベルの変化を得てそれを使用者が分析することにより、使用者により決定し設定された前記設定レベル値にしたがって、前記図１に示した照明制御装置６３が行う動作について、図１，図２並びに図５を参照しながら説明を行う。
【００４１】
図１において、ホトダイオード等により構成される光センサー（受光器）３１で検出された照度レベルはアンプ３２により増幅され、端子３４，Ａ／Ｄ変換部３６を介してマイクロコンピュータ３７に所定の周期を持って入力される。入力された照度レベルは前述の通り、マイクロコンピュータ３７によりメモリ３８に記憶されると共に、前記図２の設定レベル表示部６１に表示された設定レベル（閾値）と比較が行われる。そして、前記マイクロコンピュータ３７は、前記光センサー（受光器）３１より入力された照度レベルが前記設定レベル（閾値）より高い場合には、スイッチ部４１を制御して照明４６をオフ又は調光制御を行い、光センサー（受光器）３１より入力された照度レベルが前記設定レベル（閾値）より低い場合には、スイッチ部４１を制御して照明４６をオンする。
【００４２】
さらに、マイクロコンピュータ３７は、前記照度レベルと前記設定レベル（閾値）との比較結果を、アドレス設定部４４で設定されたアドレスと一緒に、ＣＣＵ４２を介して端子４７，４８に出力する。
【００４３】
次に、以上のような本発明である照明制御装置６３が、さらに大きなシステムの１端末、即ち照明制御端末（装置）として使用される場合の一例について説明を行う。
【００４４】
図６は本発明の集中監視制御システムの一例である実施の形態を示すブロック図である。
【００４５】
図６において、中央制御装置１は二線伝送路により時計１０，日照計５と接続された日照計用端末器４及び各部屋（室）８，９等と結ばれている。また、各部屋８及び９は、それぞれ制御用端末器２ａ，３ａ，壁スイッチ２ｂ，３ｂ，並びに照明制御装置（または、照度レベル記録器）２ｃ，３ｃで構成されている。そして、制御用端末器２ａには交流電源２３と照明２４により構成される照明機器が、制御用端末器３ａには交流電源２７と照明２８により構成される照明機器がそれぞれ接続されていて、照明制御装置２ｃには交流電源２５と照明２６により構成される照明機器，光センサ６，並びにプリンタ２２が、照明制御装置３ｃには交流電源２９と照明３０により構成される照明機器，光センサ７，並びにプリンタ２１がそれぞれ接続されている。
【００４６】
さらに、中央制御装置１は、時計１０，日照計用端末器４，照明制御装置２ｃ及び３ｃから二線伝送路を通して送られてくる二線伝送信号によるデータに基づいて演算を行い、その日の日付と時間及び予め設定されているタイムスケジュールから各部屋に対して最も適切な人工照明の昼光利用制御、即ち交流電源２３と照明２４により構成される照明機器，交流電源２７と照明２８により構成される照明機器それぞれのオン／オフ又は調光制御を制御用端末器２ａ及び３ａを通しておこなう。また、場合によっては昼光利用制御が壁スイッチ２ｂ及び３ｂに対して行われることもある。
【００４７】
そして、照明制御装置２ｃ及び３ｃは既述の通り、光センサ６及び７により検出された照度レベルを、二線伝送路を通して中央制御装置１に供給すると共に、交流電源２５と、照明２６により構成される照明機器，並びに交流電源２９と照明３０により構成される照明機器の制御をそれぞれが独自にて行うようになっている。
【００４８】
次に、図６の具体的な動作例について説明を行う。尚、以降の制御及び動作の説明においては、部屋８の昼光利用制御を例にとって行うものとする。また、照明２４は窓に比較的近く太陽光の影響を直接（大きく）受けるエリアの照度制御を行うために使用され、照明２６は窓から比較的遠く太陽光の影響を間接的に（小さく）受けるエリアの照度制御を行うために使用されるものとして、以降説明を行う。
【００４９】
図７は本発明である照明制御システムにより前記人工照明の昼光利用制御が行われている建物の一例を示す図である。
【００５０】
図７において、建物１１の屋上には日照計５が設置されていて太陽が出ている状態か或いは陰っている状態かを検出している。そして、各部屋の窓１２の左上にはそれぞれの窓毎に光センサ６及び７が設置されていて、各部屋の窓に照射される太陽光の強度（照度レベル）を検出している。また、各部屋の窓には入射光量を調節するためのブラインド１３やカーテン１４等が設けられている。
【００５１】
以上のように構成された建物１１の各部屋における昼光利用制御について以下に説明する。
【００５２】
図８は各部屋の昼光制御を行うための中央制御装置の処理を示すフローチャートである。
【００５３】
図８を用いて昼光利用制御の説明を行うと、中央制御装置１は先ず時計１０から現在の日付及び時間を読み出す（ステップｓ１）。そして、ステップｓ１で読み出された日付及び時間に基づいて、現在の太陽光の入射方位を演算または予め計算されていてデータ化されている場合にはそのデータベースを検索することにより求める（ステップｓ２）。
【００５４】
次に、日照計５のデータの読み込みを日照計５と接続された日照計用端末器４を介して行い（ステップｓ３）、現在太陽が出ている状態なのか或いは陰っている状態なのかを検出して（ステップｓ４）、現在太陽が陰っている状態であると判断されれば制御用端末器２ａを介した昼光利用制御、即ち全天空照度（室外の明るさ）を光センサ６により計測されたデータ（照度レベル）を光センサ６の接続された照明制御装置２ｃを介して読み込み、その結果に基づいて制御用端末器２ａを介して照明２４を点灯したり消灯したり或いは調光することで昼光照明を補助する為の人工照明の明るさの制御を開始する（ステップｓ７）。
【００５５】
前記ステップｓ４で、太陽が出ている状態であると判断されればステップｓ５へ進み、前記ステップｓ２の演算またはデータベース検索により求められた太陽光の入射方位に基づいて直接の太陽光の照射はあるのか、即ち窓を通して直射日光の照射を受けるかどうかを判断して、直射日光の照射は受けないと判断されれば、光センサ６により計測されたデータを光センサ６が接続された照明制御装置２ｃを介して読み込み、その結果に基づいて前記同様に制御用端末器２ａを介して照明２４を点灯したり消灯したり或いは調光することで昼光照明を補助する為の昼光利用制御を開始する（ステップｓ７）。
【００５６】
前記ステップｓ５で、窓を通して直射日光の照射を受けると判断されればステップｓ６へ進み、前記ステップｓ１で読み込まれた日付に基づいて季節を判断して、現在の季節が例えば冬であればステップｓ７へ進み、光センサ６により計測されたデータを光センサ６が接続された照明制御装置２ｃを介して読み込み、その結果に基づいて前記と同様に制御用端末器２ａを介して照明２４を制御する、昼光利用制御を開始する。
【００５７】
前記ステップｓ６で、現在の季節が冬でなければステップｓ１４へ進み、昼光利用制御は行わない。もし昼光利用制御が行われている状態であれば昼光利用制御を終了させる。
【００５８】
さらに、ステップｓ１４またはステップｓ７の処理を終えると中央制御装置１はタイマーをスタートさせ、予め設定されている時間だけ休止状態にはいる（ステップｓ８，ｓ９）。この休止状態中も、前記ステップｓ７による昼光利用制御は行われている。以上で、照明制御の１周期、即ち、昼光利用制御を行うか（開始するか）または行わないか（終了させるか）を判断して決定する処理を終了する。
【００５９】
ステップｓ９で、タイマー終了し、休止状態が解除されると、またステップｓ１へもどり照明制御の次の周期にはいる。尚、照明２６の制御は既述の通り、前記光センサ６により検出・計測されたデータ（照度レベル）に基づいて、照明制御装置２ｃにより独自の調光制御が行われる。
【００６０】
図９は本発明である照明制御システムにより前記人工照明の昼光利用制御が行われている建物の隣に太陽光を遮る障害物がある例を示す図である。
【００６１】
図９において、建物１１の隣には太陽光を遮る、例えば給水搭１５のような障害物が存在している。尚、建物１１自体の構成は図７と同様であるので説明は省略する。
【００６２】
以上のように構成された建物１１の各部屋における他の昼光利用制御について以下に説明する。
【００６３】
図１０は各部屋の近隣に障害物がある場合における昼光制御を行うための中央制御装置の処理を示すフローチャートである。
【００６４】
図１０を用いて昼光利用制御の説明を行うと、中央制御装置１は先ず時計１０から現在の日付及び時間を読み出す（ステップｓ１）。そして、ステップｓ１で読み出された日付及び時間に基づいて、現在の太陽光の入射方位を演算または予め計算されていてデータ化されている場合にはそのデータベースを検索することにより求め（ステップｓ２）、ステップｓ１０へ進む。
【００６５】
ステップｓ１０では予め登録されている建物１１の周囲にあって太陽光を遮るような障害物、例えば給水搭等の構造建築物や山や樹木等の障害物データを読み出し（ステップｓ１０）、前記ステップｓ２で求めた現在の太陽光の入射方位に関係のある、即ち現在の太陽の方向によると障害物が太陽光の入射を遮るような障害物が前記障害物データの中にあるかどうかを判断して（ステップｓ１１）、そのような障害物が存在する場合には制御用端末器２ａを介した昼光利用制御、即ち全天空照度（室外の明るさ）を光センサ６により計測されたデータ（照度レベル）を光センサ６が接続された照明制御装置２ｃを介して読み込み、その結果に基づいて制御用端末器２ａを介して照明２４を点灯したり消灯したり或いは調光することで昼光照明を補助するための人工照明の明るさの制御を開始する（ステップｓ７）。
【００６６】
前記ステップｓ１１で太陽光の入射を遮るような障害物は存在しないと判断された場合には、日照計５のデータの読み込みを日照計５と接続された日照計用端末器４を介して行い（ステップｓ３）、現在太陽が出ている状態なのか或いは陰っている状態なのかを検出して（ステップｓ４）、現在太陽が陰っている状態であると判断されれば光センサ６により計測されたデータ（照度レベル）を光センサ６が接続された照明制御装置２ｃを介して読み込み、その結果に基づいて前記同様に制御用端末器２ａを介した昼光利用制御を開始する（ステップｓ７）。
【００６７】
前記ステップｓ４で、太陽が出ている状態であると判断さた場合にはステップｓ５へ進み、前記ステップｓ２の演算またはデータベース検索により求められた太陽光の入射方位に基づいて直接の太陽光の照射はあるのか、即ち窓を通して直射日光の照射を受けるかどうかを判断して、直射日光の照射は受けないと判断されれば、光センサ６により計測されたデータ（照度レベル）を光センサ６の接続された照明制御装置２ｃを介して読み込み、その結果に基づいて前記同様に制御用端末器２ａを介した昼光利用制御を開始する（ステップｓ７）。
【００６８】
前記ステップｓ５で、窓を通して直射日光の照射を受けると判断されればステップｓ６へ進み、前記ステップｓ１で読み込まれた日付に基づいて季節を判断して、現在の季節が、例えば冬であればステップｓ７へ進み、光センサ６により計測されたデータ（照度レベル）を光センサ６の接続された照明制御装置２ｃを介して読み込み、その結果に基づいて前記同様に制御用端末器２ａを介した昼光利用制御を開始する。
【００６９】
前記ステップｓ６で、現在の季節が冬でなければステップｓ１４へ進み、昼光利用制御は行わない。もし昼光利用制御が行われている状態であれば昼光利用制御を終了させる。
【００７０】
さらに、ステップｓ１４またはステップｓ７の処理を終えると中央制御装置１はタイマーをスタートさせ、予め設定されている時間だけ休止状態にはいる（ステップｓ８，ｓ９）。この休止状態中も前記ステップｓ７による昼光利用制御は行われている。以上で、照明制御の１周期、即ち、昼光利用制御を行うか（開始するか）、または行わないか（終了させるか）、を判断して決定する処理を終了する。
【００７１】
ステップｓ９で、タイマー終了し、休止状態が解除されると、またステップｓ１へもどり照明制御の次の周期にはいる。尚、前述と同様、照明２６の制御は既述の通り、前記光センサ６により検出・計測されたデータ（照度レベル）に基づいて、照明制御装置２ｃにより独自の調光制御が行われる。
【００７２】
図１１は省エネ効果を最優先させた場合における各部屋の昼光制御を行うための中央制御装置の処理を示すフローチャートである。
【００７３】
図１１を用いて昼光利用制御の説明を行うと、中央制御装置１は先ず時計１０から現在の日付及び時間を読み出す（ステップｓ１）。そして、ステップｓ１で読み出された日付及び時間に基づいて、現在の太陽光の入射方位を演算またはデータベース検索することにより求める（ステップｓ２）。
【００７４】
次に、日照計５のデータの読み込みを日照計５と接続された日照計用端末器４を介して行い（ステップｓ３）、現在太陽が出ている状態なのか或いは陰っている状態なのかを検出して（ステップｓ４）、現在太陽が陰っている状態であると判断されれば制御用端末器２ａを介した昼光利用制御、即ち全天空照度（室外の明るさ）を光センサ６により計測されたデータ（照度レベル）を光センサ６の接続された照明制御装置２ｃを介して読み込み、その結果に基づいて制御用端末器２ａを介して照明２４を点灯したり消灯したり或いは調光することで昼光照明を補助するための人工照明の明るさの制御を開始して（ステップｓ７）、同時に壁スイッチ２ｂ等を制御して、照明装置関連の手動制御を緊急時以外には一切禁止する（ステップｓ１２）。
【００７５】
前記ステップｓ４で、太陽が出ている状態であると判断されればステップｓ５へ進み、前記ステップｓ２の演算またはデータベース検索により求められた太陽光の入射方位に基づいて直接の太陽光の照射はあるのか、即ち窓を通して直射日光の照射を受けるかどうかを判断して、直射日光の照射は受けないと判断されれば、光センサ６により計測されたデータ（照度レベル）を光センサ６の接続された照明制御装置２ｃを介して読み込み、その結果に基づいて前記同様に制御用端末器２ａを介した昼光利用制御を開始して（ステップｓ７）、同時に壁スイッチ２ｂ等を制御して、照明装置関連の手動制御を緊急時以外には一切禁止する（ステップｓ１２）。
【００７６】
前記ステップｓ５で、窓を通して直射日光の照射を受けると判断されればステップｓ６へ進み、前記ステップｓ１で読み込まれた日付に基づいて季節を判断して、現在の季節が例えば冬であればステップｓ７へ進み、光センサ６により計測されたデータ（照度レベル）を光センサ６の接続された照明制御装置２ｃを介して読み込み、その結果に基づいて前記同様に制御用端末器２ａを介した昼光利用制御を開始して、同時に壁スイッチ２ｂ等を制御して、照明装置関連の手動制御を緊急時以外には一切禁止する（ステップｓ１２）。
【００７７】
前記ステップｓ６で、現在の季節が冬でなければステップｓ１４へ進み、昼光利用制御は行わない。もし昼光利用制御が行われている状態であれば昼光利用制御を終了させる。
【００７８】
さらに、ステップｓ１４またはステップｓ７の処理を終えると中央制御装置１はタイマーをスタートさせ、予め設定されている時間だけ休止状態にはいる（ステップｓ８，ｓ９）。尚、この休止状態中も前記ステップｓ７による昼光利用制御は行われている。そして、もしステップｓ１２の処理により、壁スイッチ２ｂ等を制御して、照明装置関連の手動制御が一切禁止されている状態であれば手動制御の禁止を解除する（ステップｓ１３）。
【００７９】
以上で、照明制御の１周期、即ち、昼光利用制御を行うか（開始するか）または行わないか（終了させるか）を判断して決定する処理を終了する。
【００８０】
ステップｓ９で、タイマー終了し、休止状態が解除されると、またステップｓ１へもどり照明制御の次の周期にはいる。尚、前述と同様、照明２６の制御は既述の通り、前記光センサ６により検出・計測されたデータ（照度レベル）に基づいて、照明制御装置２ｃにより独自の調光制御が行われる。
【００８１】
尚、上記発明の実施の形態では、照度レベル値に基づいた照明機器の昼光利用制御（調光制御）について説明したが、本発明はこれに限定されず、照度レベル値に依存して制御を行うべきあらゆる機器（装置）に応用することが可能であるのは勿論である。
【００８２】
【発明の効果】
以上述べたように本発明の照度レベル記録器（照明制御装置）によれば、現場（照明制御装置の設置されている場所）に行った時点で、既に光センサーによる照度レベルデータが取得された状態であるので、設定レベル値（閾値）の設定に必要な照度レベルの変化をその時点で知ることが出来、閾値の設定作業を効率よく行うことが出来る。また、照度レベルデータをその場でグラフ化して表示させたり、フロッピーディスク等に、例えば、季節毎のデータや天候毎のデータとして記録し、後日パソコン等により所望の形式にデータを加工して表示・分析等が行えるので、さらに正確、且つ効率的に作業（閾値の決定等）を行うことが出来る。
【００８３】
また、本発明の集中監視制御システムによる昼光利用制御によれば、室外が明るいときであっても、必要が生じてカーテンやブラインドを閉めた場合には、予めそれを検知していて昼光利用制御が無条件で働くようなことがなくなり、これにより、快適な照明環境と省エネ効果を得ることができる。
【図面の簡単な説明】
【図１】本発明の照度レベル記録器と一体となった照明制御装置の実施の形態を示すブロック図である。
【図２】本発明である照度レベル記録器の操作部及び表示部の一構成例を示した図である。
【図３】本発明である照度レベル記録器の記録動作を示したフローチャートである。
【図４】照度レベル記録器（照明制御装置）のメモリに記憶された照度データの読み出しの手順を示したフローチャートである。
【図５】レベル記憶メモリに記憶された照度レベルの変化をグラフ形式にしてプリンタ出力より得た場合の一例を示した図である。
【図６】本発明の集中監視制御システムの一例である実施の形態を示すブロック図である。
【図７】本発明である照明制御システムにより前記人工照明の昼光利用制御が行われている建物の一例を示す図である。
【図８】各部屋の昼光制御を行うための中央制御装置の処理を示すフローチャートである。
【図９】本発明である照明制御システムにより前記人工照明の昼光利用制御が行われている建物の隣に太陽光を遮る障害物がある例を示す図である。
【図１０】各部屋の近隣に障害物がある場合における昼光制御を行うための中央制御装置の処理を示すフローチャートである。
【図１１】省エネ効果を最優先させた場合における各部屋の昼光制御を行うための中央制御装置の処理を示すフローチャートである。
【符号の説明】
３１                          …ホトダイオード
３２                          …アンプ
３３，３４，４７，４８，４９  …端子
３５                          …電源部
３６                          …Ａ／Ｄ変換部
３７                          …マイクロコンピュータ
３８                          …メモリ
３９                          …操作部
４０                          …表示部
４１                          …スイッチ部
４２                          …ＣＣＵ
４３                          …プリンタＩ／Ｆ（インターフェース）
４４                          …アドレス設定部
４５                          …交流電源
４６                          …照明
６３                          …照明制御装置
ＶＣＣ                        …直流電源供給ライン
ＧＮＤ                        …基準電位点ＧＮＤ
【図１】
0003849168.tif 000002
【図２】
0003849168.tif 000003
【図３】
0003849168.tif 000004
【図４】
0003849168.tif 000005
【図５】
0003849168.tif 000006
【図６】
0003849168.tif 000007
【図７】
0003849168.tif 000008
【図８】
0003849168.tif 000009
【図９】
0003849168.tif 000010
【図１０】
0003849168.tif 000011
【図１１】
0003849168.tif 000012